(57)【要約】  下りリンク（ＤＬ）データに割当てられるハイブリッド自動再送要求（ＨＡＲＱ）プロセス番号（ＨＰＮ）を特定する方法、ＤＬデータに割当てられるＨＰＮを通知する方法、ＤＬデータにＨＰＮを割当てる方法、基地局及びユーザ端末が開示される。その方法は、ＤＬデータに関連するＤＬ制御情報（ＤＣＩ）を受信することと、ＤＣＩにより前記ＤＬデータが所定条件を満たすか否かを特定することと、前記ＤＬデータが所定条件を満たす場合、ＤＣＩにおけるＨＰＮフィールドと付加フィールドに基づいて、前記ＤＬデータに割当てられるＨＰＮを特定することと、を含む。これによって、オーバヘッドと消費電力が増えずに、八つ以上のＨＡＲＱプロセスをサポートすることができる。
2019530280.tif 000002
【特許請求の範囲】
【請求項１】
下りリンクデータに対応付ける下りリンク制御情報を受信することと、
前記下りリンク制御情報により、前記下りリンクデータが所定条件を満たすか否かを特定することと、
前記下りリンクデータが所定条件を満たす場合、下りリンク制御情報におけるＨＡＲＱプロセス番号フィールドと付加フィールドに基づいて、前記下りリンクデータに割当てられるＨＡＲＱプロセス番号を特定することと、
を含む、下りリンクデータに割当てられるハイブリッド自動再送要求（ＨＡＲＱ）プロセス番号を特定する、方法。
【請求項２】
前記下りリンクデータが所定条件を満たさない場合、下りリンク制御情報におけるＨＡＲＱプロセス番号フィールドに基づいて、前記下りリンクデータに割当てられるＨＡＲＱプロセス番号を特定することをさらに含む、請求項１に記載の方法。
【請求項３】
前記所定条件は、前記下りリンク制御情報により指示される前記下りリンクデータの繰返し数が１であることである、請求項１又は２に記載の方法。
【請求項４】
前記付加フィールドは、下りリンク制御情報における周波数ホッピングフィールドであり、下りリンク制御情報におけるＨＡＲＱプロセス番号フィールドと付加フィールドに基づいて、前記下りリンクデータに割当てられるＨＡＲＱプロセス番号を特定することは、
ＨＡＲＱプロセス番号フィールドと周波数ホッピングフィールドを組み合わせることと、
組み合わせられた値に基づいて、前記下りリンクデータに割当てられるＨＡＲＱプロセス番号を特定することと、
を含む、請求項３に記載の方法。
【請求項５】
前記所定条件は、前記下りリンク制御情報により指示される前記下りリンクデータの送信周波数帯域が下りリンク制御情報の送信周波数帯域と同じであることである、請求項１又は２に記載の方法。
【請求項６】
前記付加フィールドは、下りリンク制御情報におけるリソース割当てフィールドであり、下りリンク制御情報におけるＨＡＲＱプロセス番号フィールドと付加フィールドに基づいて、前記下りリンクデータに割当てるＨＡＲＱプロセス番号を特定することは、
ＨＡＲＱプロセス番号フィールドとリソース割当てフィールドにおける所定ビットを組み合わせることと、
組み合わせられた値に基づいて、前記下りリンクデータに割当てられるＨＡＲＱプロセス番号を特定することと、
を含む、請求項５に記載の方法。
【請求項７】
現の下りリンクデータに対応付ける下りリンク制御情報を受信することと、
前記下りリンク制御情報におけるＨＡＲＱプロセス番号フィールドが、少なくとも第１のＨＡＲＱプロセス番号と第２のＨＡＲＱプロセス番号を示す所定値であるか否かを特定することと、
ＨＡＲＱプロセス番号フィールドが前記所定値であると特定した場合、現の下りリンクデータの前に送信された下りリンクデータの受信状態により、現の下りリンクデータに割当てられるＨＡＲＱプロセス番号を特定することと、
を含む、現の下りリンクデータに割当てられるハイブリッド自動再送要求（ＨＡＲＱ）プロセス番号を特定する、方法。
【請求項８】
現の下りリンクデータの前に送信された下りリンクデータは、第１のＨＡＲＱプロセス番号が割当てられた第１のデータと第２のＨＡＲＱプロセス番号が割当てられた第２のデータとを含み、現の下りリンクデータの前に送信された下りリンクデータの受信状態により、現の下りリンクデータに割当てるＨＡＲＱプロセス番号を特定することは、
第１のデータと第２のデータ両方が正常に受信された場合、第１のＨＡＲＱプロセス番号が現の下りリンクデータに割当てられることを特定すること、又は、
第１のデータと第２のデータ両方が正常に受信されなかった場合、第１のデータと第２のデータとのうち先に伝送が終わったデータのＨＡＲＱプロセス番号が現の下りリンクデータに割当てられることを特定すること、又は、
第１のデータが正常に受信され、第２のデータが正常に受信されなかった場合、第２のＨＡＲＱプロセス番号が現の下りリンクデータに割当てられることを特定すること、
を含む、請求項７に記載の方法。
【請求項９】
現の下りリンクデータの前に送信された下りリンクデータは、第１のＨＡＲＱプロセス番号が割当てられた第１のデータであり、現の下りリンクデータの前に送信された下りリンクデータの受信状態により、現の下りリンクデータに割当てられるＨＡＲＱプロセス番号を特定することは、
基地局が第１のデータに対する確認が受信されていない状況で現の下りリンクデータを送信する場合は、第２のＨＡＲＱプロセス番号が現の下りリンクデータに割当てられることを特定することを含む、請求項７に記載の方法。
【請求項１０】
下りリンクデータが所定条件を満たすか否かを特定することと、
前記下りリンクデータが所定条件を満たす場合、下りリンク制御情報におけるＨＡＲＱプロセス番号フィールドと付加フィールドを利用して、前記下りリンクデータに割当てるＨＡＲＱプロセス番号を通知することと、
を含む、下りリンクデータに割当てられるハイブリッド自動再送要求（ＨＡＲＱ）プロセス番号を通知する、方法。
【請求項１１】
前記下りリンクデータが所定条件を満たさない場合、下りリンク制御情報におけるＨＡＲＱプロセス番号フィールドを利用し、前記下りリンクデータに割当てられるＨＡＲＱプロセス番号を通知することを、さらに含む、請求項１０に記載の方法。
【請求項１２】
前記所定条件は、前記下りリンクデータの繰返し数が１であることである、請求項１０又は１１に記載の方法。
【請求項１３】
前記付加フィールドは、下りリンク制御情報における周波数ホッピングフィールドであり、下りリンク制御情報におけるＨＡＲＱプロセス番号フィールドと付加フィールドを利用して、前記下りリンクデータに割当てられるＨＡＲＱプロセス番号を通知することは、
ＨＡＲＱプロセス番号フィールドと周波数ホッピングフィールドを組み合わせて得られる値を利用して、前記下りリンクデータに割当てられるＨＡＲＱプロセス番号を通知することを含む、請求項１２に記載の方法。
【請求項１４】
前記所定条件は、前記下りリンクデータの送信周波数帯域と下りリンク制御情報の送信周波数帯域が同じであることである、請求項１０又は１１に記載の方法。
【請求項１５】
前記付加フィールドは、下りリンク制御情報におけるリソース割当てフィールドであり、下りリンク制御情報におけるＨＡＲＱプロセス番号フィールドと付加フィールドを利用して、前記下りリンクデータに割当てられるＨＡＲＱプロセス番号を通知することは、
ＨＡＲＱプロセス番号フィールドとリソース割当てフィールドにおける所定ビットを組み合わせて得られる値を利用して、前記下りリンクデータに割当てられるＨＡＲＱプロセス番号を通知することを含む、請求項１４に記載の方法。
【請求項１６】
現の下りリンクデータの前に送信された下りリンクデータの受信状態を特定することと、
前記受信状態により、第１のＨＡＲＱプロセス番号又は第２のＨＡＲＱプロセス番号を現の下りリンクデータに割当てることと、を含み、
下りリンク制御情報におけるＨＡＲＱプロセス番号フィールドの所定値を利用し、第１のＨＡＲＱプロセス番号と第２のＨＡＲＱプロセス番号両者を示す、現の下りリンクデータにハイブリッド自動再送要求（ＨＡＲＱ）プロセス番号を割当てる、方法。
【請求項１７】
現の下りリンクデータの前に送信された下りリンクデータは、第１のＨＡＲＱプロセス番号が割当てられた第１のデータと第２のＨＡＲＱプロセス番号が割当てられた第２のデータを含み、
前記受信状態により、第１のＨＡＲＱプロセス番号又は第２のＨＡＲＱプロセス番号を現の下りリンクデータに割当てることは、
第１のデータと第２のデータ両方が正常に受信された場合、第１のＨＡＲＱプロセス番号を現の下りリンクデータに割当てること、又は、
第１のデータと第２のデータ両方が正常に受信されなかった場合、第１のデータと第２のデータとのうち先に伝送が終わったデータのＨＡＲＱプロセス番号を現の下りリンクデータに割当てること、又は、
第１のデータが正常に受信され、第２のデータが正常に受信されなかった場合、第２のＨＡＲＱプロセス番号を現の下りリンクデータに割当てること、
を含む、請求項１６に記載の方法。
【請求項１８】
現の下りリンクデータの前に送信された下りリンクデータは、第１のＨＡＲＱプロセス番号が割当てられた第１のデータであり、前記受信状態により、第１のＨＡＲＱプロセス番号又は第２のＨＡＲＱプロセス番号を現の下りリンクデータに割当てることは、
第１のデータに対する確認が受信されていない状況で現の下りリンクデータを送信する場合は、第２のＨＡＲＱプロセス番号を現の下りリンクデータに割当てることを含む、請求項１６に記載の方法。
【請求項１９】
下りリンクデータに対応付ける下りリンク制御情報を受信するように配置される受信部と、
前記下りリンク制御情報により前記下りリンクデータが所定条件を満たすか否かを特定するように配置され、前記下りリンクデータが所定条件を満たす場合、下りリンク制御情報におけるＨＡＲＱプロセス番号フィールドと付加フィールドに基づいて、前記下りリンクデータに割当てられるＨＡＲＱプロセス番号を特定する特定部と、
を含む、ユーザ端末。
【請求項２０】
前記特定部は、前記下りリンクデータが所定条件を満たさない場合、下りリンク制御情報におけるＨＡＲＱプロセス番号フィールドに基づいて、前記下りリンクデータに割当てられるＨＡＲＱプロセス番号を特定するように更に配置される、請求項１９に記載のユーザ端末。
【請求項２１】
前記所定条件は、前記下りリンク制御情報により指示された前記下りリンクデータの繰返し数が１であることである、請求項１９又は２０に記載のユーザ端末。
【請求項２２】
前記付加フィールドは、下りリンク制御情報における周波数ホッピングフィールドであり、前記特定部は、ＨＡＲＱプロセス番号フィールドと周波数ホッピングフィールドを組み合わせ、組み合わせられた値に基づいて、前記下りリンクデータに割当てられるＨＡＲＱプロセス番号を特定するように配置される、請求項２１に記載のユーザ端末。
【請求項２３】
前記所定条件は、前記下りリンク制御情報により指示される前記下りリンクデータの送信周波数帯域と下りリンク制御情報の送信周波数帯域が同じであることである、請求項１９又は２０に記載のユーザ端末。
【請求項２４】
前記付加フィールドは、下りリンク制御情報におけるリソース割当てフィールドであり、下りリンク制御情報におけるＨＡＲＱプロセス番号フィールドと付加フィールドに基づいて、前記下りリンクデータに割当てられるＨＡＲＱプロセス番号を特定することは、
ＨＡＲＱプロセス番号フィールドとリソース割当てフィールドにおける所定ビットを組み合わせることと、
組み合わせられた値に基づいて、前記下りリンクデータに割当てられるＨＡＲＱプロセス番号を特定することと、
を含む、請求項２３に記載のユーザ端末。
【請求項２５】
現の下りリンクデータに対応付ける下りリンク制御情報を受信するように配置される受信部と、
前記下りリンク制御情報におけるＨＡＲＱプロセス番号フィールドが少なくとも第１のＨＡＲＱプロセス番号と第２のＨＡＲＱプロセス番号を示す所定値であるか否かを特定するように配置され、ＨＡＲＱプロセス番号フィールドが前記所定値であると特定する場合、現の下りリンクデータの前に送信された下りリンクデータの受信状態により現の下りリンクデータに割当てられるＨＡＲＱプロセス番号を特定する特定部と、
を含む、ユーザ端末。
【請求項２６】
現の下りリンクデータの前に送信された下りリンクデータは、第１のＨＡＲＱプロセス番号が割当てられた第１のデータと第２のＨＡＲＱプロセス番号が割当てられた第２のデータとを含み、
前記特定部は、第１のデータと第２のデータ両方が正常に受信された場合、第１のＨＡＲＱプロセス番号が現の下りリンクデータに割当てられることを特定し、又は、
第１のデータと第２のデータ両方が正常に受信されなかった場合、第１のデータと第２のデータとのうち先に伝送が終わったデータのＨＡＲＱプロセス番号が現の下りリンクデータに割当てられることを特定し、又は、
第１のデータが正常に受信され、第２のデータが正常に受信されなかった場合、第２のＨＡＲＱプロセス番号が現の下りリンクデータに割当てられることを特定するように配置される、請求項２５に記載のユーザ端末。
【請求項２７】
現の下りリンクデータの前に送信された下りリンクデータは、第１のＨＡＲＱプロセス番号が割当てられた第１のデータであり、前記特定部は、基地局が第１のデータに対する確認が受信されていない状況で現の下りリンクデータを送信する場合、第２のＨＡＲＱプロセス番号が現の下りリンクデータに割当てられることを特定するように配置される、請求項２５に記載のユーザ端末。
【請求項２８】
下りリンクデータが所定条件を満たすか否かを特定するように配置される特定部と、
前記下りリンクデータが所定条件を満たす場合、下りリンク制御情報におけるＨＡＲＱプロセス番号フィールドと付加フィールドにより、前記下りリンクデータに割当てられるＨＡＲＱプロセス番号を通知するように配置される通知部と、
を含む、基地局。
【請求項２９】
前記通知部は、更に、前記下りリンクデータが所定条件を満たさない場合、下りリンク制御情報におけるＨＡＲＱプロセス番号フィールドを利用し、前記下りリンクデータに割当てられるＨＡＲＱプロセス番号を通知するように配置される、請求項２８に記載の基地局。
【請求項３０】
前記所定条件は、前記下りリンクデータの繰返し数が１であることである、請求項２８又は２９に記載の基地局。
【請求項３１】
前記付加フィールドは、下りリンク制御情報における周波数ホッピングフィールドであり、
前記通知部は、ＨＡＲＱプロセス番号フィールドと周波数ホッピングフィールドを組み合わせて得られる値を利用して、前記下りリンクデータに割当てられるＨＡＲＱプロセス番号を通知するように配置される、請求項３０に記載の基地局。
【請求項３２】
前記所定条件は、前記下りリンクデータの送信周波数帯域と下りリンク制御情報の送信周波数帯域が同じであることである、請求項２８又は２９に記載の基地局。
【請求項３３】
前記付加フィールドは、下りリンク制御情報におけるリソース割当てフィールドであり、
前記通知部は、ＨＡＲＱプロセス番号フィールドとリソース割当てフィールドにおける所定ビットを組み合わせて得られる値を利用して、前記下りリンクデータに割当てられるＨＡＲＱプロセス番号を通知する、請求項３２に記載の基地局。
【請求項３４】
現の下りリンクデータの前に送信された下りリンクデータの受信状態を特定するように配置される特定部と、
前記受信状態により、第１のＨＡＲＱプロセス番号又は第２のＨＡＲＱプロセス番号を現の下りリンクデータに割当てるように配置される割当て部と、を含み、
下りリンク制御情報におけるＨＡＲＱプロセス番号フィールドの所定値を利用して、第１のＨＡＲＱプロセス番号と第２のＨＡＲＱプロセス番号両者を示す、基地局。
【請求項３５】
現の下りリンクデータの前に送信された下りリンクデータは、第１のＨＡＲＱプロセス番号が割当てられた第１のデータと第２のＨＡＲＱプロセス番号が割当てられた第２のデータを含み、
前記割当て部は、第１のデータと第２のデータ両方が正常に受信された場合、第１のＨＡＲＱプロセス番号を現の下りリンクデータに割当て、又は、
第１のデータと第２のデータ両方が正常に受信されなかった場合、第１のデータと第２のデータとのうち先に伝送が終わったデータのＨＡＲＱプロセス番号を現の下りリンクデータに割当て、又は、
第１のデータが正常に受信され、第２のデータが正常に受信されなかった場合、第２のＨＡＲＱプロセス番号を現の下りリンクデータに割当てるように配置される、請求項３４に記載の基地局。
【請求項３６】
現の下りリンクデータの前に送信された下りリンクデータは、第１のＨＡＲＱプロセス番号が割当てられた第１のデータであり、
前記割当て部は、第１のデータに対する確認が受信されていない状況で現の下りリンクデータを送信する場合、第２のＨＡＲＱプロセス番号を現の下りリンクデータに割当てるように配置される、請求項３４に記載の基地局。
【発明の詳細な説明】
【技術分野】
【０００１】
本開示は、ハイブリッド自動再送要求（ＨＡＲＱ）に関し、具体的には、下りリンクデータにＨＡＲＱプロセス番号（ＨＰＮ）を割当てる方法、下りリンクデータに割当てられるＨＡＲＱプロセス番号を特定する方法、下りリンクデータに割当てられたＨＡＲＱプロセス番号を通知する方法、及びそれに対応するユーザ端末と基地局に関する。
【背景技術】
【０００２】
３ｒｄ  Ｇｅｎｅｒａｔｉｏｎ  Ｐａｒｔｎｅｒｓｈｉｐ  Ｐｒｏｊｅｃｔ（３ＧＰＰ）標準Ｒｅｌ．１３で、進化されたマシン間通信（ｅＭＴＣ）は、Ｌｏｎｇ  Ｔｅｒｍ  Ｅｖｏｌｕｔｉｏｎ（ＬＴＥ）システムと同様なＨＡＲＱメカニズムをサポートする。具体的には、ｅＭＴＣは、最大八つのＨＡＲＱプロセスをサポートし、下りリンク制御情報（ＤＣＩ）で３ビットのＨＡＲＱプロセス番号（ＨＰＮ）フィールドにより、該ＤＣＩに関連付けられたデータ（例えば、物理下りリンク（ＰＤＳＣＨ））に割当てられるＨＰＮを指示する。しかしながら、ｅＭＴＣシステムは、ＬＴＥシステムと異なるスケジューリング方式を利用する。即ち、ｅＭＴＣシステムでは、物理下りリンク制御チャネル（ＭＰＤＣＣＨ）の送信が終わった後の二つ目の有効なサブフレームでＰＤＳＣＨを送信するが、ｅＭＴＣシステムでは、ＰＤＳＣＨの送信から該ＰＤＳＣＨに対するフィードバック情報の受信までのバックホール時間（ＲＴＴ）が１０ｍｓであるため、ｅＭＴＣシステムは、実際に少なくとも十個の並行するＨＡＲＱプロセスをサポートする能力を具備する。
【発明の概要】
【発明が解決しようとする課題】
【０００３】
そのため、３ＧＰＰ標準Ｒｅｌ．１４のＭＴＣシステムでは、データ送信レートを向上させるように、少なくとも十個のＨＡＲＱプロセスをサポートすることを望む。しかしながら、３ＧＰＰ標準Ｒｅｌ．１３のＤＣＩにおける３ビットのＨＰＮフィールドは、最大八つのＨＰＮしか表せず、そのため、少なくとも十個のＨＡＲＱプロセスをサポートするシステムに対し、下りリンクデータにＨＰＮを割当て、割当てられたＨＰＮを通知する方法、及びＵＥによるＰＤＳＣＨに割当てられるＨＰＮの特定の方法が必要である。
【課題を解決するための手段】
【０００４】
本開示の一態様では、下りリンクデータに割当てられるハイブリッド自動再送要求（ＨＡＲＱ）プロセス番号を特定する方法を提供し、前記下りリンクデータに対応付ける下りリンク制御情報を受信することと、前記下りリンク制御情報により、前記下りリンクデータが所定条件を満たすか否かを特定することと、前記下りリンクデータが所定条件を満たす場合、下りリンク制御情報におけるＨＡＲＱプロセス番号フィールドと付加フィールドに基づいて、前記下りリンクデータに割当てられるＨＡＲＱプロセス番号を特定することと、を含む。
【０００５】
本開示の他の一態様では、現の下りリンクデータに割当てられるハイブリッド自動再送要求（ＨＡＲＱ）プロセス番号を特定する方法を提供し、現の下りリンクデータに対応付ける下りリンク制御情報を受信することと、前記下りリンク制御情報におけるＨＡＲＱプロセス番号フィールドが少なくとも第１のＨＡＲＱプロセス番号と第２のＨＡＲＱプロセス番号を示す所定値であるか否かを特定することと、ＨＡＲＱプロセス番号フィールドが前記所定値であると特定した場合、現の下りリンクデータの前に送信された下りリンクデータの受信状態により、現の下りリンクデータに割当てられるＨＡＲＱプロセス番号を特定することと、を含む。
【０００６】
本開示の他の一態様では、下りリンクデータに割当てられるハイブリッド自動再送要求（ＨＡＲＱ）プロセス番号を通知する方法を提供し、前記下りリンクデータが所定条件を満たすか否かを特定することと、前記下りリンクデータが所定条件を満たす場合、下りリンク制御情報におけるＨＡＲＱプロセス番号フィールドと付加フィールドを利用して、前記下りリンクデータに割当てられるＨＡＲＱプロセス番号を通知することと、を含む。
【０００７】
本開示の他の一態様では、現の下りリンクデータにハイブリッド自動再送要求（ＨＡＲＱ）プロセス番号を割当てる方法を提供し、現の下りリンクデータの前に送信された下りリンクデータの受信状態を特定することと、前記受信状態により、第１のＨＡＲＱプロセス番号又は第２のＨＡＲＱプロセス番号を現の下りリンクデータに割当てることと、を含み、下りリンク制御情報におけるＨＡＲＱプロセス番号フィールドの所定値を利用して、第１のＨＡＲＱプロセス番号と第２のＨＡＲＱプロセス番号両者を示す。
【０００８】
本開示の他の一態様では、ユーザ端末を提供し、前記下りリンクデータに対応付ける下りリンク制御情報を受信するように配置される受信部と、前記下りリンク制御情報により、前記下りリンクデータが所定条件を満たすか否かを特定するように配置され、前記下りリンクデータが所定条件を満たす場合、下りリンク制御情報におけるＨＡＲＱプロセス番号フィールドと付加フィールドに基づいて、前記下りリンクデータに割当てられるＨＡＲＱプロセス番号を特定する特定部と、を含む。
【０００９】
本開示の他の一態様では、ユーザ端末を提供し、現の下りリンクデータに対応付ける下りリンク制御情報を受信するように配置される受信部と、前記下りリンク制御情報におけるＨＡＲＱプロセス番号フィールドが少なくとも第１のＨＡＲＱプロセス番号と第２のＨＡＲＱプロセス番号を示す所定値であるか否かを特定するように配置され、ＨＡＲＱプロセス番号フィールドが前記所定値であると特定する場合、現の下りリンクデータの前に送信された下りリンクデータの受信状態により、現の下りリンクデータに割当てられるＨＡＲＱプロセス番号を特定する特定部と、を含む。
【００１０】
本開示の他の一態様では、基地局を提供し、下りリンクデータが所定条件を満たすか否かを特定するように配置される特定部と、前記下りリンクデータが所定条件を満たす場合、下りリンク制御情報におけるＨＡＲＱプロセス番号フィールドと付加フィールドにより、前記下りリンクデータに割当てられるＨＡＲＱプロセス番号を通知するように配置される通知部と、を含む。
【００１１】
本開示の他の一態様では、基地局を提供し、現の下りリンクデータの前に送信された下りリンクデータの受信状態を特定するように配置される特定部と、前記受信状態により、第１のＨＡＲＱプロセス番号又は第２のＨＡＲＱプロセス番号を現の下りリンクデータに割当てるように配置される割当て部と、を含み、下りリンク制御情報におけるＨＡＲＱプロセス番号フィールドの所定値を利用して、第１のＨＡＲＱプロセス番号と第２のＨＡＲＱプロセス番号両者を示す。
【図面の簡単な説明】
【００１２】
図面を参照しながら本開示の実施例についてさらに詳しく説明することで、本開示の前記及び他の目的、特徴及び利点がより明らかになる。図面は、本開示の実施例に対する理解を深めるためのものであり、明細書の一部を構成し、本開示の実施例と共に本開示の解釈に用いられ、本開示を制限するものではない。図面では、一般的に同じ符号は同じ部品又はステップを表す。
【図１】本開示の実施例に係る進化されたマシン間通信（ＭＴＣ）システムが適用される模式図である。
【図２】本開示の第１の実施態例に係る下りリンクデータに割当てられるＨＡＲＱプロセス番号を通知する方法を示すフローチャートである。
【図３】本開示の第１の実施例に係る下りリンクデータにＨＡＲＱプロセス番号を割当て、割当てられたＨＡＲＱプロセス番号を通知する例を示す。
【図４】本開示の第１の実施例に係る下りリンクデータに割当てられるＨＡＲＱプロセス番号を特定する方法を示すフローチャートである。
【図５】本開示の第１の実施例に係る基地局のブロック図を示す。
【図６】本開示の第１の実施例に係るＵＥのブロック図を示す。
【図７】ＰＤＣＣＨとＰＤＳＣＨに周波数リソースブロックを割当てる模式図を示す。
【図８】本開示の第２の実施例に係る下りリンクデータに割当てられたＨＡＲＱプロセス番号を通知する方法のフローチャートを示す。
【図９】本開示の第２の実施例に係る下りリンクデータに割当てるＨＡＲＱプロセス番号を特定する方法を示すフローチャートである。
【図１０】本開示の第２の実施例に係る基地局のブロック図を示す。
【図１１】本開示の第２の実施例に係るＵＥのブロック図を示す。
【図１２】本開示の第３の実施例に係る現の下りリンクデータにＨＡＲＱプロセス番号を割当てる方法を示す。
【図１３】本開示の第３の実施例に係る現の下りリンクデータに割当てられるＨＡＲＱプロセス番号を特定する方法を示す。
【図１４】本開示の第３の実施例に係る基地局のブロック図を示す。
【図１５】本開示の第３の実施例に係るＵＥのブロック図を示す。
【発明を実施するための形態】
【００１３】
本開示の目的、技術案、利点をより明確にさせるために、以下は、図面を参照しながら本開示に係る実施例を詳しく説明する。勿論、挙げられた実施例は、本開示の全ての実施例ではなく、本開示の一部であり、本開示は、こちらで挙げられた実施例に制限されるものではない。本開示に説明された実施例に基づいて、当業者は創造的な労働を払わずに得られた全ての他の実施例は、本開示の請求範囲に属する。
【００１４】
図１は、本開示の実施例に係る進化されたマシン間通信（ｅＭＴＣ）システムが適用される模式図を示す。図１に示すように、該システムは、基地局（ｅＮＢ）１０、ユーザ端末（ＵＥ）２０を含み、基地局１０は、ユーザ端末２０に制御信号とデータを送信し、ユーザ端末２０は、前記制御信号と下りリンクデータを受信して検知し、基地局に前記データに対するフィードバック情報（ＨＡＲＱフィードバック情報）を送信する。前記フィードバック情報は、前記データが正常に受信されたことを示す送達確認情報（ＡＣＫ）でもよく、又は前記データが正常に受信されなかったことを示す否定確認情報（ＮＡＣＫ）でもよい。前記制御信号は、例えば、物理下りリンク制御チャネル（ＰＤＣＣＨ又はｍＰＤＣＣＨ（即ち、ＭＴＣシステムに利用されるＰＤＣＣＨ））であり、前記下りリンクデータは、例えば、物理下りリンク共有チャネル（ＰＤＳＣＨ）である。以下では、ＰＤＣＣＨとＰＤＳＣＨを制御信号と下りリンクデータとする例について説明するが、これらは説明的なものだけであり、前記制御信号と下りリンクデータは他のタイプの制御信号とデータであってもよい。また、図１に一つの基地局と一つのＵＥのみが示されているが、これらは説明的なものだけであり、前記システムでは、複数の基地局及び／又は複数のＵＥが存在してもよい。
【００１５】
ｅＭＴＣシステムでは、当該分野で公知されるように、例えば、基地局とＵＥとの間のチャネル品質が不良な時、基地局は、ＵＥがＰＤＳＣＨを正確に受信できることを確保するように、ＵＥに送信される該ＰＤＳＣＨを複数回繰返して送信する。それに対して、ＰＤＳＣＨの繰返し回数を指示するように、ＤＣＩに該ＰＤＳＣＨの繰返しフィールドが設置される。また、ＰＤＳＣＨの繰返し回数が１より大きい時、第１の周波数帯域で初めて送信されるＰＤＳＣＨを送信し、異なる第２の周波数帯域で再び送信されるＰＤＳＣＨを送信し、即ち、繰り返して送信されるＰＤＳＣＨを周波数ホッピングにより送信する。それに応じて、繰り返して送信されるＰＤＳＣＨが周波数ホッピングで送信されるかどうかを指示するように、ＤＣＩに１ビットの周波数ホッピングフィールドが設置される。前記フィールド以外に、ＤＣＩは、該ＰＤＳＣＨに割当てられるための周波数リソースブロックを指示するように、リソース割当てフィールドをさらに含む。該リソース割当てフィールドは、５ビットを有する。
【００１６】
以下、本開示の各実施例を、図面を参照して説明する。前記実施例は、八つ以上のＨＡＲＱプロセスをサポートできるシステム（例えば、ｅＭＴＣシステム）に適用できる。以下では、十個のＨＡＲＱプロセスをサポートするｅＭＴＣシステムを例として各実施例を説明するが、これは制限的なものではなく、本開示の各実施例は、他の数のＨＡＲＱプロセスをサポートする他のシステムに適用されてもよい。
【００１７】
（第１の実施例）
本開示の第１の実施例では、基地局は、ＵＥに送信されるＰＤＳＣＨに、例えば、十個のＨＡＲＱプロセスを割当てできる。ＤＣＩにおけるＨＰＮフィールドが３ビットだけであるため、最大八つのＨＡＲＱプロセス番号を表すことができる。この課題を解決するために、第１の実施例では、ＤＣＩにおけるＨＰＮフィールド以外に、更にＤＣＩにおける冗長フィールドを選択的に利用して、ＰＤＳＣＨに割当てられるＨＰＮを表す。
【００１８】
ｅＭＴＣシステムでは、一回のＰＤＳＣＨ伝送のバックホール時間が１０ｍｓ（十個のサブフレーム）であり、ＰＤＣＣＨの次の第２のサブフレームで対応するＰＤＳＣＨを送信するため、八つ又はさらに多いＨＡＲＱプロセスを利用し、少なくとも６（＝１０−２−１−１）つのＰＤＳＣＨが繰り返して送信されない必要があり、即ち、少なくとも六つのＰＤＳＣＨの繰返し数が１である。繰返し数が１であるＰＤＳＣＨに対し、周波数ホッピングにより該ＰＤＳＣＨを送信する必要がないため、ＤＣＩにおける周波数ホッピングフィールドは、周波数ホッピングが存在するかどうかを指示する必要はなく、冗長フィールドになる。この場合は、この六つの繰返し数が１であるＰＤＳＣＨにおける一つ又は複数のＰＤＳＣＨに８より大きいＨＰＮを割当て、ＨＰＮフィールドと前記周波数ホッピングフィールドを用いてこの８より大きいＨＰＮを示す。繰返し数が１より大きくなったＰＤＳＣＨに対し、８以下のＨＰＮを割当て、ＨＰＮフィールドのみで該ＨＰＮを示す。
【００１９】
以下、図２を参照し、本開示の第１の実施例に係るＰＤＳＣＨに割当てられるＨＰＮを通知する方法を説明し、該方法は、基地局において実行されることができる。
【００２０】
図２に示すように、ステップＳ２０１では、前記ＰＤＳＣＨが所定条件を満たすか否かを特定する。本実施例では、前記所定条件は、ＰＤＳＣＨの繰返し数が１であることであってもよい。例えば、基地局は、該ＰＤＳＣＨに設定した繰返し数が１であるかを特定することによって、該ＰＤＳＣＨが所定条件を満たすかを特定する。
【００２１】
次に、ステップＳ２０２では、前記ＰＤＳＣＨが所定条件を満たす場合、ＤＣＩにおけるＨＰＮフィールドと付加フィールドを利用して前記ＰＤＳＣＨに割当てられるＨＰＮを通知する。
【００２２】
具体的には、前記のように、ＰＤＳＣＨの繰返し数が１の時、ＤＣＩにおける周波数ホッピングにより前記ＰＤＳＣＨを送信するか否かを指示する周波数ホッピングフィールドが冗長フィールドになるので、該周波数ホッピングフィールドを、前記ＰＤＳＣＨに割当てられるＨＰＮを示して通知する付加フィールドとすることができる。即ち、ＨＰＮフィールドと該周波数ホッピングフィールド両者を利用して、前記ＰＤＳＣＨに割当てられるＨＰＮを示して通知する。具体的には、ＨＡＲＱプロセス番号フィールドと周波数ホッピングフィールドを組み合わせて得られる値を利用して、前記ＰＤＳＣＨに割当てられるＨＰＮを通知できる。例えば、周波数ホッピングフィールドの１ビットＡとＨＰＮフィールドの３ビットＢＢＢをＡＢＢＢにカスケードして、Ａ＝０の時、ＨＰＮ＃０−ＨＰＮ＃７を示し、Ａ＝１の時、ＨＰＮ＃８−ＨＰＮ＃１５を示す。ＨＡＲＱプロセス番号フィールドと周波数ホッピングフィールドを組み合わせる方式は、実際の必要に応じて柔軟に選択できることを意識すべきである。例えば、周波数ホッピングフィールドは、上記のように、組み合わせられたフィールドの最高の有効なビットでもよく、組み合わせられたフィールドの最低の有効なビット又は中間のビットでもよい。
【００２３】
一方、前記ＰＤＳＣＨが所定条件を満たさないことを特定した場合、即ち、前記ＰＤＳＣＨの繰返し数が１より大きくなると、上記のように、周波数ホッピングにより該ＰＤＳＣＨを繰り返して送信することがある、このような場合は、周波数ホッピングフィールドは冗長ではなく、周波数ホッピングにより該ＰＤＳＣＨを送信するか否かを示す。このような場合は、ＤＣＩにおけるＨＰＮフィールドのみを利用して、前記ＰＤＳＣＨに割当てられるＨＰＮを通知する。このような場合は、ＨＰＮフィールドは、ＨＰＮ＃０−ＨＰＮ＃７を示すことができる。
【００２４】
図３は、本開示の第１の実施例に係るＰＤＳＣＨにＨＰＮを割当て、割当てられるＨＰＮを通知する例を示す。図３に示すように、ＰＤＣＣＨ＃１とＰＤＣＣＨ＃０によりスケジューリングされるＰＤＳＣＨの繰返し数が２であり、ＰＤＣＣＨ＃２−ＰＤＣＣＨ＃８によりスケジューリングされるＰＤＳＣＨの繰返し数の全てが１であるので、ＰＤＣＣＨ＃２−ＰＤＣＣＨ＃８のＤＣＩにおいて４ビット（周波数ホッピングフィールドの１ビットとＨＰＮフィールドの３ビット）でＰＤＳＣＨに割当てられるＨＰＮを示し、ＰＤＣＣＨ＃１とＰＤＣＣＨ＃０のＤＣＩにおいてＨＰＮフィールドの３ビットでＰＤＳＣＨに割当てられるＨＰＮを示す。
【００２５】
以下、図４を参照しながら、本開示の第１の実施例に係る下りリンクデータ（依然としてＰＤＳＣＨを例とする）に割当てられるＨＰＮを特定する方法について説明する。該方法は、ＵＥにおいて実行されることができる。
【００２６】
図４に示すように、ステップＳ４０１では、前記ＰＤＳＣＨに対応付ける下りリンク制御情報（ＤＣＩ）を受信する。具体的には、基地局から送信される、前記ＰＤＳＣＨをスケジューリングするためのＰＤＣＣＨ（ｍＰＤＣＣＨ）を受信し、前記ＰＤＣＣＨから前記ＤＣＩを抽出することができる。
【００２７】
次に、ステップＳ４０２では、前記ＤＣＩにより、前記ＰＤＳＣＨが所定条件を満たすか否かを特定する。本実施例では、上記のように、前記所定条件は、前記ＤＣＩにより指示される前記下りリンクデータの繰返し数が１であることである。例えば、ＵＥは、ＤＣＩにおけるＰＤＳＣＨの繰返しフィールドを読み取ってＰＤＳＣＨの繰返し数が１であるか否かを特定することで、ＰＤＳＣＨが所定条件を満たすか否かを特定する。
【００２８】
次に、ステップＳ４０３では、前記ＰＤＳＣＨが所定条件を満たす場合、ＤＣＩにおけるＨＰＮフィールドと付加フィールドに基づいて、ＰＤＳＣＨに割当てられるＨＰＮを特定する。上記のように、前記ＰＤＳＣＨが所定条件を満たす場合、即ち、前記ＰＤＳＣＨの繰返し数が１の場合、ＤＣＩにおける周波数ホッピングフィールドは冗長であり、基地局はＨＰＮフィールドと周波数ホッピングフィールドによりＰＤＳＣＨに割当てるＨＰＮを示すことになる。つまり、前記付加フィールドは、ＤＣＩにおける周波数ホッピングフィールドである。それに応じて、ＵＥ側において、ＤＣＩにおけるＨＰＮフィールドと付加フィールドに基づいてＰＤＳＣＨに割当てられるＨＰＮを特定する。例えば、ＨＰＮフィールドと周波数ホッピングフィールドを組み合わせ、組み合わせられた値に基づいてＰＤＳＣＨに割当てられるＨＰＮを特定する。ＨＰＮフィールドと周波数ホッピングフィールドを組み合わせる方式は、例えば、ＵＥと基地局で予め定義されてもよく、又は基地局によりシグナリングでＵＥに通知することによって、ＵＥに、基地局と同様な方式で前記フィールドを組み合わせるようにさせてもよい。
【００２９】
一方、前記ＰＤＳＣＨが前記所定条件を満たさない場合、ＤＣＩにおけるＨＰＮフィールドに基づいてＰＤＳＣＨに割当てられるＨＰＮを特定する。具体的には、ＰＤＳＣＨの繰返し数が１より大きい時、上記のように、基地局は、ＤＣＩにおけるＨＰＮフィールドのみを利用してＰＤＳＣＨに割当てられるＨＰＮを示すので、ＵＥでは、該ＨＰＮを読み取ることでＰＤＳＣＨに割当てられるＨＰＮを特定する。
【００３０】
以下、図５を参照しながら、本開示の第１の実施例に係る図２を参照して説明された上記の方法を実行できる基地局を説明する。重複を避けるため、ここでは上記と同様な内容を省略する。
【００３１】
図５に示すように、基地局１０は、特定部１１と通知部１２を含む。ここで、説明を簡単にさせるために、本開示と密接に関連する基地局の二つの部のみが示され、これは説明するためのものに過ぎず、必要に応じて、基地局は他の部を含んでもよいことに留意すべきである。
【００３２】
特定部１１は、前記ＰＤＳＣＨが所定条件を満たすか否かを特定することができる。本実施例では、前記所定条件は、ＰＤＳＣＨの繰返し数が１であることである。例えば、特定部１１は、該ＰＤＳＣＨに設定される繰返し数が１であるか否かを特定して、該ＰＤＳＣＨが所定条件を満たすかを特定する。
【００３３】
通知部１２は、前記ＰＤＳＣＨが所定条件を満たす場合、ＤＣＩにおけるＨＰＮフィールドと付加フィールドを利用して、前記ＰＤＳＣＨに割当てられるＨＰＮを通知する。具体的には、上記のように、ＰＤＳＣＨの繰返し数が１の場合、ＤＣＩにおける周波数ホッピングフィールドが冗長フィールドになり、前記付加フィールドとされる。このような場合、通知部１２は、ＨＰＮフィールドと該周波数ホッピングフィールド両方を利用して、前記ＰＤＳＣＨに割当てられるＨＰＮを示して通知する。具体的には、通知部１２は、ＨＡＲＱプロセス番号フィールドと周波数ホッピングフィールドを組み合わせて得られる値を利用して、前記ＰＤＳＣＨに割当てられるＨＰＮを通知することができる。ＨＡＲＱプロセス番号フィールドと周波数ホッピングフィールドを組み合わせる方式は、実際の必要に応じて柔軟に選択される。一方、前記ＰＤＳＣＨが所定条件を満たさないことを特定した場合、即ち、前記ＰＤＳＣＨの繰返し数が１より大きい場合、通知部１２は、ＤＣＩにおけるＨＰＮフィールドを利用して、前記ＰＤＳＣＨに割当てられるＨＰＮを通知することができる。
【００３４】
以下、図６を参照しながら本開示に係る第１の実施例のＵＥを説明する。該ＵＥは、図３を参照して説明された上記の方法を実行できる。重複を避けるため、ここでは上記と同様な内容を省略する。
【００３５】
図６に示すように、ＵＥ２０は、受信部２１と特定部２２を含む。ここで、説明を簡単にさせるため、本開示と密接に関連するＵＥの二つの部のみが示され、これは説明するためのものに過ぎず、必要に応じて、ＵＥは他の部を含んでもよい。
【００３６】
受信部２１は、前記ＰＤＳＣＨに関連する下りリンク制御情報（ＤＣＩ）を受信できる。具体的には、受信部２１は、基地局から送信された、前記ＰＤＳＣＨをスケジューリングするためのＰＤＣＣＨ（ｍＰＤＣＣＨ）を受信し、前記ＰＤＣＣＨから前記ＤＣＩを抽出する。
【００３７】
特定部２２は、前記ＤＣＩにより前記ＰＤＳＣＨが所定条件を満たすか否かを特定できる。本実施例では、上記のように、前記所定条件は、前記ＤＣＩに指示される前記下りリンクデータの繰返し数が１であることである。例えば、特定部２２は、ＤＣＩにおけるＰＤＳＣＨ繰返しフィールドを読み取って、ＰＤＳＣＨの繰返し数が１であるか否かを特定することによって、ＰＤＳＣＨが所定条件を満たすか否かを特定する。
【００３８】
また、前記ＰＤＳＣＨが所定条件を満たす場合、特定部２２は、ＤＣＩにおけるＨＰＮフィールドと付加フィールドに基づいて、ＰＤＳＣＨに割当てられるＨＰＮを特定することができる。上記のように、前記ＰＤＳＣＨが所定条件を満たす場合、即ち、前記ＰＤＳＣＨの繰返し数が１である場合、ＤＣＩにおける周波数ホッピングフィールドは冗長であり、ＰＤＳＣＨに割当てられるＨＰＮを示すための付加フィールドとされ、基地局はＨＰＮフィールドと該付加フィールドを利用して、ＰＤＳＣＨに割当てられるＨＰＮを示すことになる。それに応じて、ＵＥ側において、特定部２２は、ＤＣＩにおけるＨＰＮフィールドと付加フィールドに基づいて、ＰＤＳＣＨに割当てられるＨＰＮを特定することができる。例えば、特定部２２は、ＨＰＮフィールドと周波数ホッピングフィールドを組み合わせて、組み合わせられた値に基づいてＰＤＳＣＨに割当てられるＨＰＮを特定する。ＨＰＮフィールドと周波数ホッピングフィールドを組み合わせる方式は、例えば、ＵＥと基地局で予め定義されてもよく、又は基地局でシグナリングによりＵＥに通知してもよい。従って、特定部２２に、基地局と同様な方式で前記フィールドを組み合わせるようにさせてもよい。
【００３９】
一方、前記ＰＤＳＣＨが前記所定条件を満たす場合、特定部２２は、ＤＣＩにおけるＨＰＮフィールドに基づいてＰＤＳＣＨに割当てられるＨＰＮを特定することができる。
【００４０】
本開示に係る第１の実施例に係る上記の方法、及び基地局とＵＥによれば、新規なフィールド又はビットを増やさずに、ＤＣＩにおける冗長フィールドを選択的に利用してＰＤＳＣＨに割当てられるＨＰＮを通知することができることが見られる。それによって、シグナリングのオーバヘッドと消費電力を増やさない状況で、八つ或いはさらに多いＨＡＲＱプロセスをサポートすることができる。
【００４１】
（第２の実施例）
以下、本開示の第２の実施例を説明する。本開示の第２の実施例では、基地局は、ＵＥに送信されるＰＤＳＣＨに、例えば、十個のＨＡＲＱプロセスを割当てる。同様に、第２の実施例では、ＤＣＩにおけるＨＰＮフィールド以外にも、さらにＤＣＩにおける冗長フィールドを選択的に利用してＰＤＳＣＨに割当てられるＨＰＮを示す。
【００４２】
具体的には、ｅＭＴＣシステムでは、異なる周波数帯域（狭い帯域）でＰＤＣＣＨとＰＤＳＣＨを送信できる。しかしながら、八つ或いはそれ以上のＨＡＲＱプロセスを利用しようとすれば、少なくとも６（＝１０−２−１−１）つのサブフレームで送信されるＰＤＣＣＨとＰＤＳＣＨは、同時に受信されるように、同じ周波数帯域に属すべきである。図７に示すように、ｅＭＴＣシステムの周波数帯域は、例えば、六つの周波数リソースブロックを含むことができ、ＰＤＣＣＨの送信が少なくとも二つの周波数リソースブロックを占める必要があるので、最大に四つの周波数リソースブロックでＰＤＳＣＨを送信できる。これは、４（＝ｃｅｉｌ（ｌｏｇ２（４＊（４＋１）／２））ビットのみを利用して、ＰＤＳＣＨに割当てられる周波数リソースブロックを指示できることを意味する。このような場合は、リソース割当てフィールドが５ビットを有するため、リソース割当てフィールドのうち１ビットが冗長ビットになる。そのため、この六つのサブフレームで送信されるＰＤＳＣＨのうち少なくとも一つに８より大きいＨＰＮを割当てることができ、ＨＰＮフィールドとリソース割当てフィールドにおける前記冗長ビットを利用して該ＨＰＮを示す。リソース割当てフィールドの何れのビット（例えば、最高の有効なビット、最低の有効なビット、或いは中間のあるビット）を予め前記冗長ビットとして定義してもよいことに留意すべきである。
【００４３】
また、リソースの割当てを行う場合、基地局は、異なるＰＤＳＣＨに対して、異なる方式で周波数リソースを割当てる。ＰＤＣＣＨとは異なる周波数帯域で送信されるＰＤＳＣＨに対し、基地局は、通常の方式で該ＰＤＳＣＨに周波数リソースを割当てできる。一方、ＰＤＳＣＨがＰＤＣＣＨと同じ周波数帯域で送信される場合、基地局は、該周波数帯域でＰＤＣＣＨに割当てられた周波数リソースブロック以外の残りのリソースブロックでＰＤＳＣＨにリソースを割当てることが可能である。例えば、基地局は、周波数の昇順で、残りのリソースブロックにインデックスを付加し、図７に示すように、３ＧＰＰ標準で決められたタイプ２のリソースを割当てる方式を利用して、ＰＤＳＣＨに前記周波数リソースブロックのうち一つを割当て、リソース割当てフィールドの４ビットを利用してＰＤＳＣＨに割当てられる周波数リソースブロックの位置を指示することができる。勿論、基地局は、必要に応じて、何れの方式、或いは特定の方式で残りの一つ或いは複数の周波数リソースブロックをＰＤＳＣＨに割当て、リソース割当てフィールドの４ビットを利用してＰＤＳＣＨに割当てられる周波数リソースブロックの位置を指示してもよい。また、リソースを割当てた後に、基地局は、ＵＥに送信される、該ＰＤＳＣＨに対応付けるＤＣＩの周波数帯域指示子フィールドが、前記ＰＤＳＣＨの送信周波数帯域を指示するように、当該フィールドを設置する。
【００４４】
以下、図８を参照しながら、本開示の第２の実施例に係るＰＤＳＣＨにＨＰＮを割当てる方法を説明する。該方法は、基地局おいて実行されることができる。図８に示すように、各ステップは、図２に示した各ステップとほぼ同じであり、両方の区別は、前記所定条件及び利用される付加フィールドが異なることにある。ここでは、説明を簡単にさせるために、第２の実施例における第１の実施例と同じ部分を省略する。
【００４５】
図８に示すように、ステップＳ８０１では、前記ＰＤＳＣＨが所定条件を満たすか否かを特定する。本実施例では、前記所定条件は、前記ＰＤＳＣＨの送信周波数帯域がＤＣＩの送信周波数帯域（即ち、該ＤＣＩをキャリアするＰＤＣＣＨの送信周波数帯域）と同じである。具体的には、基地局が、例えば、チャネル品質などの要素に基づいてＰＤＳＣＨの送信周波数帯域及びＰＤＣＣＨの送信周波数帯域を決定可能なので、基地局は、両方の送信周波数帯域を比較して、同じ周波数帯域（例えば、狭い帯域）にあるか否かを特定することによって、ＰＤＳＣＨが前記所定条件を満たすか否かを特定する。
【００４６】
次に、ステップＳ８０２では、前記ＰＤＳＣＨが所定条件を満たす場合、ＤＣＩにおけるＨＰＮフィールドと付加フィールドを利用して、前記ＰＤＳＣＨに割当てられるＨＰＮを通知する。
【００４７】
具体的には、上記のように、前記ＰＤＳＣＨの送信周波数帯域とＤＣＩの送信周波数帯域が同じ場合、ＤＣＩにおけるＰＤＳＣＨに割当てられる周波数リソースを指示するためのリソース割当てフィールドのうち少なくとも１ビットが冗長ビットになれる。ここで、リソース割当てフィールドの何れかのビットが予め前記冗長ビット（所定ビット）として定義される。そのため、リソース割当てフィールドを、前記ＰＤＳＣＨに割当てられる付加フィールドとして示して通知するのに利用できる。即ち、ＨＰＮフィールドとリソース割当てフィールド両方を利用して、前記ＰＤＳＣＨに割当てられるＨＰＮを示して通知する。具体的には、ＨＰＮフィールドと前記リソース割当てフィールドにおける所定ビットを組み合わせて得られる値を利用して、前記ＰＤＳＣＨに割当てられるＨＰＮを通知できる。例えば、リソース割当てフィールドにおける１ビットＡ’とＨＰＮフィールドの３ビットＢＢＢをＡ’ＢＢＢとしてカスケードし、Ａ’＝０の場合、ＨＰＮ＃０−ＨＰＮ＃７を示し、Ａ’＝１の場合、ＨＰＮ＃８−ＨＰＮ＃１５を示すことができる。ＨＰＮフィールドと前記所定ビットを組み合わせる方式は、実際の必要に応じて柔軟に選択できることに留意すべきである。例えば、前記所定ビットは、上記のように組み合わせられたビット列の最高の有効なビットであってもよく、組み合わせられたビット列の最低の有効なビット又は中間のビットであってもよい。
【００４８】
一方、前記ＰＤＳＣＨが所定条件を満たさないことを特定した場合、即ち、前記ＰＤＳＣＨの送信周波数帯域とＤＣＩの送信周波数帯域が異なる場合、前記のように、リソース割当てフィールドの全てのビットがＰＤＳＣＨに割当てられる周波数リソースの位置を指示するために用いられる可能性があるので、冗長ビットが存在しない。このような場合は、ＤＣＩにおけるＨＰＮフィールドのみを利用して前記ＰＤＳＣＨに割当てられるＨＰＮを通知する。このような場合は、ＨＰＮフィールドは、ＨＰＮ＃０−ＨＰＮ＃７を示すことが可能である。
【００４９】
以下、図９を参照しながら、本開示の第２の実施例に係る下りリンクデータ（依然としてＰＤＳＣＨを例とする）に割当てられるＨＰＮを特定する方法を説明する。該方法は、ＵＥにおいて実行されることができる。
【００５０】
図９に示すように、ステップＳ９０１では、前記ＰＤＳＣＨに対応付ける下りリンク制御情報（ＤＣＩ）を受信する。具体的には、基地局から送信された、前記ＰＤＳＣＨをスケジューリングするためのＰＤＣＣＨ（ｍＰＤＣＣＨ）を受信し、前記ＰＤＣＣＨから前記ＤＣＩを抽出することができる。
【００５１】
次に、ステップＳ９０２では、前記ＤＣＩにより前記ＰＤＳＣＨが所定条件を満たすか否かを特定する。本実施例では、上記のように、前記所定条件は、前記ＤＣＩに指示される前記ＰＤＳＣＨの送信周波数帯域とＤＣＩの送信周波数帯域（即ち、該ＤＣＩをキャリアするＰＤＣＣＨの送信周波数帯域）が同じであることである。具体的には、基地局が送信するＤＣＩには、ＰＤＳＣＨの送信周波数帯域を指示する周波数帯域指示子フィールドが含まれる。また、基地局は、例えば、リソース制御（ＲＲＣ）シグナリングなどのようなシグナリングにより、ＰＤＣＣＨの送信周波数帯域を予めＵＥに通知することができる。そのため、ＵＥは、ＰＤＳＣＨの送信周波数帯域を特定するように、ＤＣＩにおける周波数帯域指示子フィールドを読み取って、基地局から通知されたＰＤＣＣＨの送信周波数帯域と比較して、前記ＰＤＳＣＨの送信周波数帯域とＤＣＩの送信周波数帯域が同じか否かを特定することによって、ＰＤＳＣＨが所定条件を満たすか否かを特定する。
【００５２】
次に、ステップＳ９０３では、前記ＰＤＳＣＨが所定条件を満たす場合、ＤＣＩにおけるＨＰＮフィールドと付加フィールドに基づいて、ＰＤＳＣＨに割当てられるＨＰＮを特定する。上記のように、前記ＰＤＳＣＨが所定条件を満たす場合、即ち前記ＰＤＳＣＨの送信周波数帯域とＤＣＩの送信周波数帯域が同じ場合、ＤＣＩにおけるリソース割当てフィールドのうち少なくとも1ビットが冗長であり、基地局がＨＰＮフィールドとリソース割当てフィールドでＰＤＳＣＨに割当てられるＨＰＮを示すことになる。つまり、前記付加フィールドはＤＣＩにおけるリソース割当てフィールドであり、より具体的には、リソース割当てフィールドの所定ビットである。それに応じて、ＵＥ側において、ＤＣＩにおけるＨＰＮフィールドと付加フィールドに基づいて、ＰＤＳＣＨに割当てられるＨＰＮを特定することができる。例えば、ＨＰＮフィールドとリソース割当てフィールドの所定ビットとを組み合わせ、組み合わせられた値に基づいてＰＤＳＣＨに割当てられるＨＰＮを特定することができる。ＨＰＮフィールドとリソース割当てフィールドにおける所定ビットを組み合わせる方式は、例えば、ＵＥと基地局で予め定義されてもよく、又は基地局によりシグナリングでＵＥに通知してもよい。従って、ＵＥに、基地局と同様な方式で前記フィールドを組み合わせるようにさせてもよい。
【００５３】
一方、前記ＰＤＳＣＨが前記所定条件を満たさない場合、ＤＣＩにおけるＨＰＮフィールドに基づいてＰＤＳＣＨに割当てられるＨＰＮを特定することができる。具体的には、前記ＰＤＳＣＨの送信周波数帯域とＤＣＩの送信周波数帯域が異なる場合、上記のように、基地局は、ＤＣＩにおけるＨＰＮフィールドのみを利用しＰＤＳＣＨに割当てられるＨＰＮを示すので、ＵＥでは、該ＨＰＮを読み取ることでＰＤＳＣＨに割当てられるＨＰＮを特定することができる。
【００５４】
以下、図１０を参照しながら、本開示の第２の実施例に係る図８を参照して説明された上記の方法を実行できる基地局を説明する。重複を避けるため、ここでは前記と同様な内容を省略する。
【００５５】
図１０に示すように、基地局１０’は、特定部１１’と通知部１２’を含む。ここで、説明を簡単にさせるために、本開示と密接に関連する基地局の二つの部のみが示され、これは説明するためのものに過ぎず、必要に応じて、基地局は他の部を含んでもよい。
【００５６】
特定部１１’は、前記ＰＤＳＣＨが所定条件を満たすか否かを特定することができる。本実施例では、前記所定条件は、前記ＰＤＳＣＨの送信周波数帯域とＤＣＩの送信周波数帯域（即ち、該ＤＣＩをキャリアするＰＤＣＣＨの送信周波数帯域）が同じであることである。具体的には、基地局が、例えば、チャネル品質などの要素に基づいて、ＰＤＳＣＨの送信周波数帯域及びＰＤＣＣＨの送信周波数帯域を決定できるので、特定部１１’は、両方の送信周波数帯域を比較して、同じ周波数帯域（例えば、狭い帯域）にあるか否かを特定することによって、ＰＤＳＣＨが前記所定条件を満たすか否かを特定することができる。
【００５７】
通知部１２’は、前記ＰＤＳＣＨが所定条件を満たす場合、ＤＣＩにおけるＨＰＮフィールドと付加フィールドを利用して、前記ＰＤＳＣＨに割当てられるＨＰＮを通知することができる。
【００５８】
具体的には、上記のように、前記ＰＤＳＣＨの送信周波数帯域とＤＣＩの送信周波数帯域が同じ場合、ＤＣＩにおけるＰＤＳＣＨに割当てられる周波数リソースを指示するリソース割当てフィールドのうち少なくとも１ビットが冗長ビットになる。そのため、通知部１２’は、リソース割当てフィールドを前記ＰＤＳＣＨに割当てられる付加フィールドを示して通知することに用いることができる。即ち、ＨＰＮフィールドとリソース割当てフィールド両方を利用して前記ＰＤＳＣＨに割当てられるＨＰＮを示して通知する。具体的には、通知部１２’は、ＨＰＮフィールドと前記リソース割当てフィールドにおける所定ビットを組み合わせて得られる値を利用して、前記ＰＤＳＣＨに割当てられるＨＰＮを通知することができる。
【００５９】
一方、前記ＰＤＳＣＨが所定条件を満たさないことを特定した場合、即ち、前記ＰＤＳＣＨの送信周波数帯域とＤＣＩの送信周波数帯域が異なる場合、通知部１２’は、ＤＣＩにおけるＨＰＮフィールドを利用して、前記ＰＤＳＣＨに割当てられるＨＰＮを通知することができる。
【００６０】
以下、図１１を参照しながら本開示に係る図３を参照して説明された上記の方法を実行できる第２の実施例のＵＥを説明する。重複を避けるため、ここでは上記と同様な内容を省略する。
【００６１】
図１１に示すように、ＵＥ２０’は、受信部２１’と特定部２２’を含む。ここで、説明を簡単にさせるために、本開示と密接に関連するＵＥの二つの部のみが示され、これは説明するためのものに過ぎず、必要に応じて、ＵＥは他の部を含んでもよいことに留意すべきである。
【００６２】
受信部２１’は、前記ＰＤＳＣＨに対応付ける下りリンク制御情報（ＤＣＩ）を受信することができる。具体的には、受信部２１’は、基地局から送信された、前記ＰＤＳＣＨをスケジューリングするためのＰＤＣＣＨ（ｍＰＤＣＣＨ）を受信し、前記ＰＤＣＣＨから前記ＤＣＩを抽出することができる。
【００６３】
特定部２２’は、前記ＤＣＩに基づいて前記ＰＤＳＣＨが所定条件を満たすか否かを特定することができる。本実施例では、上記のように、前記所定条件は、前記ＤＣＩにより指示される前記ＰＤＳＣＨの送信周波数帯域とＤＣＩの送信周波数帯域が同じであることである。具体的には、特定部２２’は、ＰＤＳＣＨの送信周波数帯域を特定するように、ＤＣＩの周波数帯域指示子フィールドを読み取って、基地局から通知されたＰＤＣＣＨの送信周波数帯域と比較し、前記ＰＤＳＣＨの送信周波数帯域とＤＣＩの送信周波数帯域が同じか否かを特定することによって、ＰＤＳＣＨが所定条件を満たすか否かを特定することができる。
【００６４】
また、前記ＰＤＳＣＨが所定条件を満たす場合、特定部２２’は、ＤＣＩにおけるＨＰＮフィールドと付加フィールドに基づいて、ＰＤＳＣＨに割当てられるＨＰＮを特定することができる。上記のように、前記ＰＤＳＣＨが所定条件を満たす場合、即ち、前記ＰＤＳＣＨの送信周波数帯域とＤＣＩの送信周波数帯域が同じ場合、ＤＣＩにおけるリソース割当てフィールドのうち少なくとも1ビットが冗長であり、基地局はＨＰＮフィールドとリソース割当てフィールドを利用して、ＰＤＳＣＨに割当てられるＨＰＮを示すことになる。つまり、前記付加フィールドはＤＣＩにおけるリソース割当てフィールドであり、より具体的には、リソース割当てフィールドにおける所定ビットである。それに応じて、ＵＥ側において、特定部２２’は、ＤＣＩにおけるＨＰＮフィールドと付加フィールドに基づいて、ＰＤＳＣＨに割当てられるＨＰＮを特定することができる。例えば、特定部２２’は、ＨＰＮフィールドとリソース割当てフィールドにおける所定ビットとを組み合わせ、組み合わせられた値に基づいてＰＤＳＣＨに割当てられるＨＰＮを特定することができる。ＨＰＮフィールドとリソース割当てフィールドにおける所定ビットを組み合わせる方式は、例えば、ＵＥと基地局で予め定義されてもよく、又は基地局によりシグナリングでＵＥに通知してもよい。従って、ＵＥに、基地局と同様な方式で前記フィールドを組み合わせるようにさせてもよい。
【００６５】
一方、前記ＰＤＳＣＨが前記所定条件を満たさない場合、特定部２２’は、ＤＣＩにおけるＨＰＮフィールドに基づいてＰＤＳＣＨに割当てられるＨＰＮを特定することができる。
【００６６】
本開示に係る第２の実施例に係る前記方法、及び基地局とＵＥによれば、新規なフィールド又はビットを増やさずに、ＤＣＩにおける冗長フィールドを選択的に利用してＰＤＳＣＨに割当てられるＨＰＮを通知することができることが見られる。それによって、シグナリングのオーバヘッドと消費電力を増やさない状況で、八つ或いはさらに多いＨＡＲＱプロセスをサポートすることができる。
【００６７】
（第３の実施例）
以下は、本開示の第３の実施例を説明する。第３の実施例では、基地局は、ＵＥに送信されるＰＤＳＣＨに対して、例えば、十個のＨＡＲＱプロセスを割当てることができる。また、第３の実施例では、冗長フィールドとＨＰＮフィールドの組み合わせを利用して明示的にＰＤＳＣＨ（説明を簡単にさせるために、以下は「現のＰＤＳＣＨ」と称する）に割当てられるＨＰＮを指示することではなく、現のＰＤＳＣＨの前に送信された関連するＰＤＳＣＨの受信状態により、暗黙的に現のＰＤＳＣＨに割当てられるＨＰＮを特定する。
【００６８】
具体的には、ＤＣＩにおけるＨＰＮフィールドは、３ビットのみであるので、最大に八つのＨＰＮを指示できる。より多いＨＰＮを指示するために、ＨＰＮフィールドで示される一つ又は複数の値を選んで所定値とし、それぞれの所定値によって少なくとも二つのＨＰＮを指示する。選ばれた所定値の数は、示す必要があるＨＰＮの数と８の差により決められる。例として、システムが十個のＨＡＲＱプロセスをサポートするので十個のＨＰＮを指示する必要がある場合、ＨＰＮフィールドで示すことができる「０００」を第１の所定値として選んでＨＰＮ＃０とＨＰＮ＃８を指示し、「００１」を第２の所定値として選んでＨＰＮ＃１とＨＰＮ＃９を指示し、また、下記表１に示すように、ＨＰＮフィールドで示すことができる他の値である「０１０」〜「１１１」のいずれもそれに対応する一つのＨＰＮを指示できる。表１に示された所定値を選ぶ方式とＨＰＮを割当てる方式は、説明的なものであり、必要に応じて、他の選択や割当てる方式を利用できることを意識すべきである。実際に二つの所定値を選ぶだけで十個のＨＰＮを十分に示すことができるが、例えば、さらに多くの所定値を選んで、それぞれの所定値が少なくとも二つのＨＰＮを指示してもよい。或いは、それぞれの所定値が、二つのＨＰＮに限らず、三つ又はそれ以上のＨＰＮを指示することができる。
【００６９】
【表１】
2019530280.tif 000003
【００７０】
前記方式によれば、ＵＥに受信された、現のＰＤＳＣＨに対応付けるＤＣＩにおけるＨＰＮフィールドが所定値である場合、該ＨＰＮフィールドは少なくとも二つのＨＰＮを示すことができるので、ＵＥはどのＨＰＮが現のＰＤＳＣＨに割当てられたかを特定することが難しくなる。この問題を避けるために、基地局は、所定のルールに応じて、ＵＥに送信される現のＰＤＳＣＨにＨＰＮを割当てでき、ＵＥも、該ルールに応じて、現のＰＤＳＣＨに割当てられたＨＰＮを特定できる。本実施例では、以下に示すように、前記ルールは、現のＰＤＳＣＨの前に送信されたＰＤＳＣＨの受信状態に基づくものである。
【００７１】
現のＰＤＳＣＨにＨＰＮを割当てる時、基地局は、最初に、現のＰＤＳＣＨに対して前記所定値より指示されるＨＰＮを割当てるか否かを特定する。否である場合、基地局は、現の方式で現のＰＤＳＣＨに対して、対応するＨＰＮを割当てる。上記のように、該ＨＰＮは、ＨＰＮフィールドで示されることができる所定値以外の一つの値により指示される。一方、基地局が現のＰＤＳＣＨに対して前記所定値により指示されたＨＰＮを割当てる場合、基地局は、下記の方法で現のＰＤＳＣＨにＨＰＮを割当てる。
【００７２】
次に、図１２を参照しながら、本開示の第３の実施例に係る現のＰＤＳＣＨにＨＰＮを割当てる方法を説明する。ここで、一つの所定値が二つのＨＰＮを指示することを例として説明する。説明を簡単にさせるために、この二つのＨＰＮを第１のＨＰＮと第２のＨＰＮと称する。しかしながら、こちら及び他の部分で利用される「第１の」と「第２の」は、標記のみに用いられ、対応する要素の順序又は優先度などを表すものではないことを注意すべきである。
【００７３】
図１２に示すように、ステップＳ１２０１では、現のＰＤＳＣＨの前に送信されたＰＤＳＣＨ（説明を簡単にさせるために、前のＰＤＳＣＨと称する）の受信状態を特定する。そして、ステップＳ１２０２では、前記送信状態により、第１のＨＡＲＱプロセス番号又は第２のＨＡＲＱプロセス番号を現の下りリンクデータに割当てる。上記のように、前記第１のＨＰＮと第２のＨＰＮはＤＣＩにおけるＨＰＮフィールドの所定値により示される。以下、具体的な実現方式を合わせて、上記方法を説明する。
【００７４】
一つの実現方式では、上記の前のＰＤＳＣＨは、第１のＨＰＮが割当てられた第１のＰＤＳＣＨと第２のＨＰＮが割当てられた第２のＰＤＳＣＨを含む。表１に示す例では、第１のＨＰＮは、例えば、所定値である「０００」に対応するＨＰＮ＃０であり、第２のＨＰＮは、例えば、所定値である「０００」に対応するＨＰＮ＃８である。現のＰＤＳＣＨを送信する前に、基地局は、すでに第１のＰＤＳＣＨと第２のＰＤＳＣＨを送信した。ＵＥは、第１のＰＤＳＣＨと第２のＰＤＳＣＨを受信し、この二つのＰＤＳＣＨの受信状態を指示するフィードバック情報を基地局に送信する。各ＰＤＳＣＨに対するフィードバック情報は、例えば、該ＰＤＳＣＨが正常に受信されたことを指示する送達確認（ＡＣＫ）であってもよく、又は該ＰＤＳＣＨが正常に受信されなかったことを指示する否定確認（ＮＡＣＫ）であってもよい。基地局が前記フィードバック情報を受信した場合、対応するＰＤＳＣＨの受信状態を特定できる。そして、第１のＰＤＳＣＨと第２のＰＤＳＣＨの受信状態に応じて、異なる方式で現のＰＤＳＣＨにＨＰＮを割当てる。
【００７５】
具体的には、第１のＰＤＳＣＨと第２のＰＤＳＣＨ両方が正常に受信された場合、第１のＨＰＮを現のＰＤＳＣＨに割当てできる。その理由として、第１のＰＤＳＣＨと第２のＰＤＳＣＨ両方が正常に受信された場合、第１のＨＰＮと第２のＨＰＮ両方がリリースされて現のＰＤＳＣＨの送信に用いられることが可能であり、このような場合は、第１のＨＰＮと第２のＨＰＮのうち小さい方を現のＰＤＳＣＨに割当てる。ＵＥと基地局との間に予め規定されていれば、他の実施例では、第１のＨＰＮと第２のＨＰＮのうち大きい方を現のＰＤＳＣＨに割当てることもできる。
【００７６】
第１のＰＤＳＣＨと第２のＰＤＳＣＨ両方が正常に受信されなかった場合、第１のＰＤＳＣＨと第２のＰＤＳＣＨのうち先に伝送が終わったデータのＨＰＮを現の下りリンクデータに割当てる。その理由として、第１のＰＤＳＣＨと第２のＰＤＳＣＨ両方が正常に受信されなかった場合、第１のＰＤＳＣＨと第２のＰＤＳＣＨを再送する必要があり、これは、現のＰＤＳＣＨが第１のＰＤＳＣＨと第２のＰＤＳＣＨのいずれかであることを意味する。このような場合は、先に伝送が終わったＰＤＳＣＨが先に再送される。これは、現のＰＤＳＣＨは第１のＰＤＳＣＨと第２のＰＤＳＣＨのうち先に伝送が終わったＰＤＳＣＨであり、先に伝送が終わったデータのＨＰＮを割当てられることを意味する。
【００７７】
第１のＰＤＳＣＨが正常に受信され、第２のＰＤＳＣＨが正常に受信されなかった場合、第２のＨＰＮを現のＰＤＳＣＨに割当てできる。その理由として、第１のＰＤＳＣＨを再送する必要がなく、第２のＰＤＳＣＨを再送する必要がある。これは、現のＰＤＳＣＨは再送される第２のＰＤＳＣＨであり、第２のＨＰＮを割当てられることを意味する。
【００７８】
他の実現方式では、上記の前のＰＤＳＣＨは、第１のＨＰＮが割当てられる第１のＰＤＳＣＨを含む。同様に、基地局は、第１のＰＤＳＣＨに対するフィードバック情報により、その受信状態を特定できる。基地局が第１のＰＤＳＣＨのフィードバック情報が受信されていないことを特定したとすれば、第１のＰＤＳＣＨに対する受信確認が受信されていない状況で（即ち、第１のＰＤＳＣＨのバックホール時間がまだ終わらない時）、現のＰＤＳＣＨを送信することを意味する。この場合は、現のＰＤＳＣＨに、占用されていない第２のＨＰＮを割当てできる。
【００７９】
前記方法によれば、基地局は、前のＰＤＳＣＨの受信状態により、ＵＥに送信される現のＰＤＳＣＨにＨＰＮを割当てる。
【００８０】
次に、図１３を参照しながら本開示の第３の実施例に係る現のＰＤＳＣＨに割当てるＨＰＮを特定する方法を説明する。該方法は、ＵＥによって実行されることができる。重複を避けるため、ここでは図１２を参照して説明した前記方法と同様な内容を省略する。
【００８１】
図１３に示すように、ステップＳ１３０１では、現のＰＤＳＣＨに対応付けるＤＣＩを受信する。具体的には、現のＰＤＳＣＨに対応付けるＰＤＣＣＨを受信することによって、前記ＤＣＩを受信する。ＵＥがＰＤＣＣＨを検知して受信する方式は、本分野で公知されているので、ここでは省略する。
【００８２】
ステップＳ１３０２では、前記ＤＣＩにおけるＨＰＮフィールドが少なくとも第１のＨＰＮと第２のＨＰＮを示す所定値であるかを特定する。具体的には、上記のように、ＨＰＮフィールドで示すことができる一つ又は複数の値を選んで所定値とし、それぞれの所定値で少なくとも二つのＨＰＮを指示する。そのため、ＤＣＩにおけるＨＰＮフィールドが少なくとも第１のＨＰＮと第２のＨＰＮの所定値を示すことを特定した場合、現のＰＤＳＣＨに割当てられるＨＰＮは少なくとも第１のＨＰＮと第２のＨＰＮのうち一つである可能性がある。
【００８３】
次に、ステップＳ１３０３では、前記ＨＰＮフィールドが所定値であると特定した場合、現のＰＤＳＣＨの前に送信されたＰＤＳＣＨ（即ち、上記の前のＰＤＳＣＨ）の受信状態により、現のＰＤＳＣＨに割当てられるＨＰＮを特定する。
【００８４】
一つの実現方式では、上記の前のＰＤＳＣＨは、第１のＨＰＮが割当てられた第１のＰＤＳＣＨと、第２のＨＰＮが割当てられた第２のＰＤＳＣＨを含むことができる。ＵＥは、自身が第１のＰＤＳＣＨと第２のＰＤＳＣＨを正常に受信したか否かを特定することによって、第１のＰＤＳＣＨと第２のＰＤＳＣＨの受信状態を特定でき、この受信状態により現のＰＤＳＣＨに当てられるＨＰＮを特定できる。具体的には、第１のＰＤＳＣＨと第２のＰＤＳＣＨ両方が正常に受信された場合、第１のＨＰＮが現のＰＤＳＣＨに割当てられたことを特定できる。第１のＰＤＳＣＨと第２のＰＤＳＣＨ両方が正常に受信されなかった場合、第１のＰＤＳＣＨと第２のＰＤＳＣＨのうち先に伝送が終わったデータのＨＰＮが現の下りリンクデータに割当てられることを特定する。第１のＰＤＳＣＨが正常に受信され、第２のＰＤＳＣＨが正常に受信されなかった場合、第２のＨＰＮが現のＰＤＳＣＨに割当てられることを特定できる。
【００８５】
他の実現方式では、上記の前のＰＤＳＣＨは、第１のＨＰＮが割当てられた第１のＰＤＳＣＨを含むことができる。同様に、ＵＥは、例えば、ＰＤＳＣＨのバックホール時間により、基地局が第１のＰＤＳＣＨに対する受信確認を受信していないか否かを特定する。受信していない場合、現のＰＤＳＣＨは基地局が第１のＰＤＳＣＨに対する受信確認をまだ受信していない状態で送信されるものであることを意味するため、占用されていない第２のＨＰＮが現のＰＤＳＣＨに割当てられたことを特定できる。
【００８６】
以下、図１４を参照しながら、本開示の第３の実施例に係る基地局を説明する。該基地局は、図１２を参照して説明した方法を実行できる。重複を避けるため、ここでは、上記方法と同様な内容を省略する。
【００８７】
図１４に示すように、基地局１０”は、特定部１１”と割当て部１２”を含む。ここで、説明を簡単にさせるために、本開示と密接に関連する基地局の二つの部のみが示され、これは説明するためのものに過ぎず、必要に応じて、基地局は他の部を含んでもよいことに留意すべきである。
【００８８】
特定部１１”は、現のＰＤＳＣＨにＨＰＮを割当てる場合、現のＰＤＳＣＨに上記の所定値より指示されるＨＰＮを割当てるか否かを特定する。否である場合、割当て部１２”は、現の方式で現のＰＤＳＣＨに、対応するＨＰＮを割当て、上記のように、該ＨＰＮは、ＨＰＮフィールドで示すことができる所定値以外の一つの値により指示される。
【００８９】
一方、特定部１１”が現のＰＤＳＣＨに前記所定値により指示されるＨＰＮを割当てる場合、特定部１１”は、下記の方法で現のＰＤＳＣＨにＨＰＮを割当てる。
【００９０】
具体的には、特定部１１”は、現のＰＤＳＣＨの前に送信されたＰＤＳＣＨ（説明を簡単にさせるために、前のＰＤＳＣＨと称する）の受信状態を特定する。そして、割当て部１２”は、前記送信状態により、第１のＨＡＲＱプロセス番号又は第２のＨＡＲＱプロセス番号を現の下りリンクデータに割当てる。上記のように、前記第１のＨＰＮと第２のＨＰＮはＤＣＩにおけるＨＰＮフィールドの所定値により示される。以下、具体的な実現方式を合わせて、前記方法を説明する。
【００９１】
一つの実現方式では、上記の前のＰＤＳＣＨは、第１のＨＰＮが割当てられた第１のＰＤＳＣＨと第２のＨＰＮが割当てられた第２のＰＤＳＣＨを含むことができる。特定部１１”は、受信した第１のＰＤＳＣＨと第２のＰＤＳＣＨに対するフィードバック情報により、対応するＰＤＳＣＨの受信状態を特定できる。そして、割当て部１２”は、第１のＰＤＳＣＨと第２のＰＤＳＣＨの受信状態に応じて、異なる方式で現のＰＤＳＣＨにＨＰＮを割当てできる。具体的には、第１のＰＤＳＣＨと第２のＰＤＳＣＨ両方が正常に受信された場合、割当て部１２”は、第１のＨＰＮを現のＰＤＳＣＨに割当てできる。第１のＰＤＳＣＨと第２のＰＤＳＣＨ両方が正常に受信されなかった場合、割当て部１２”は、第１のＰＤＳＣＨと第２のＰＤＳＣＨのうち先に伝送が終わったデータのＨＰＮを現の下りリンクデータに割当てできる。第１のＰＤＳＣＨが正常に受信され、第２のＰＤＳＣＨが正常に受信されなかった場合、割当て部１２”は、第２のＨＰＮを現のＰＤＳＣＨに割当てできる。
【００９２】
他の実現方式では、上記の前のＰＤＳＣＨは、第１のＨＰＮが割当てられる第１のＰＤＳＣＨを含む。同様に、特定部１１”は、第１のＰＤＳＣＨに対するフィードバック情報により、その受信状態を特定できる。基地局が、第１のＰＤＳＣＨのフィードバック情報が受信されていないことを特定したとすれば、第１のＰＤＳＣＨに対する受信確認が受信されていない状況で（即ち、第１のＰＤＳＣＨのバックホール時間がまだ終わらない時）、現のＰＤＳＣＨを送信することを意味する。この場合は、割当て部１２”は、現のＰＤＳＣＨに、占用されていない第２のＨＰＮを割当てできる。
【００９３】
前記方法によれば、基地局は、前のＰＤＳＣＨの受信状態により、ＵＥに送信される現のＰＤＳＣＨにＨＰＮを割当てできる。
【００９４】
次に、図１５を参照しながら、本開示の第３の実施例に係るＵＥを説明する。該ＵＥは、図１３を参照して説明した方法を実行できる。重複を避けるため、ここでは上記方法と同様な内容を省略する。
【００９５】
図１５に示すように、ＵＥ２０”は、受信部２１”と特定部２２”を含む。ここで、説明を簡単にさせるために、本開示と密接に関連するＵＥの二つの部のみが示され、これは説明するためのものに過ぎず、必要に応じて、ＵＥは他の部を含んでもよいことに留意すべきである。
【００９６】
受信部２１”は、現のＰＤＳＣＨに関連するＤＣＩを受信できる。具体的には、受信部２１”は、現のＰＤＳＣＨに対応付けるＰＤＣＣＨを受信することで、前記ＤＣＩを受信する。受信部２１”がＰＤＣＣＨを検知して受信する方式は本分野で公知されているので、ここでは省略する。
【００９７】
特定部２２”は、前記ＤＣＩにおけるＨＰＮフィールドが少なくとも第１のＨＰＮと第２のＨＰＮを示す所定値であるか否かを特定する。具体的には、上記のように、ＨＰＮフィールドで示すことができる一つ又は複数の値を選んで所定値とし、それぞれの所定値で少なくとも二つのＨＰＮを指示できる。そのため、ＤＣＩにおけるＨＰＮフィールドが少なくとも第１のＨＰＮと第２のＨＰＮの所定値を示すことを特定した場合、現のＰＤＳＣＨに割当てられるＨＰＮが少なくとも第１のＨＰＮと第２のＨＰＮのうち一つである可能性がある。
【００９８】
前記ＨＰＮフィールドが所定値であると特定した場合、特定部２２”は、現のＰＤＳＣＨの前に送信されたＰＤＳＣＨ（即ち、上記の前のＰＤＳＣＨ）の受信状態により、現のＰＤＳＣＨに割当てられるＨＰＮを特定する。
【００９９】
一つの実現方式では、上記の前のＰＤＳＣＨは、第１のＨＰＮが割当てられた第１のＰＤＳＣＨと、第２のＨＰＮが割当てられた第２のＰＤＳＣＨを含む。特定部２２”は、自身が第１のＰＤＳＣＨと第２のＰＤＳＣＨを正常に受信できたかを特定することで、第１のＰＤＳＣＨと第２のＰＤＳＣＨの受信状態を特定し、この受信状態により現のＰＤＳＣＨに当てられるＨＰＮを特定する。具体的には、第１のＰＤＳＣＨと第２のＰＤＳＣＨ両方が正常に受信された場合、特定部２２”は、第１のＨＰＮが現のＰＤＳＣＨに割当てられることを特定できる。第１のＰＤＳＣＨと第２のＰＤＳＣＨ両方が正常に受信されなかった場合、特定部２２”は、第１のＰＤＳＣＨと第２のＰＤＳＣＨとのうち先に伝送が終わったデータのＨＰＮが現の下りリンクデータに割当てられることを特定できる。第１のＰＤＳＣＨが正常に受信され、第２のＰＤＳＣＨが正常に受信されなかった場合、特定部２２”は、第２のＨＰＮが現のＰＤＳＣＨに割当てられることを特定できる。
【０１００】
他の実現方式では、上記の前のＰＤＳＣＨは、第１のＨＰＮが割当てられた第１のＰＤＳＣＨを含む。同様に、特定部２１”は、例えば、ＰＤＳＣＨのバックホール時間により、基地局がまだ第１のＰＤＳＣＨに対する受信確認を受信していないか否かを特定できる。受信していない場合、現のＰＤＳＣＨは基地局が第１のＰＤＳＣＨに対する受信確認をまだ受信していない状況で送信されるものであることを意味するため、特定部２２”は、第２のＨＰＮが現のＰＤＳＣＨに割当てられたことを特定できる。
【０１０１】
本開示に係る第３の実施例に係る前記方法、及び基地局とＵＥによれば、基地局とＵＥは、新規なフィールド又はビットを増やさずに、従来のＤＣＩにおける冗長フィールドを利用して、ＰＤＳＣＨに割当てられたＨＰＮを通知することができる。それによって、シグナリングのオーバヘッドと消費電力を増やさない状況で、八つ又はさらに多いＨＡＲＱプロセスをサポートすることができる。
【０１０２】
なお、本明細書では、用語「含む」、「有する」又は他の変形は、非排他的に含むことを意味するため、一列の要素を含む過程、方法、物事又はデバイスは、それらの要素に加えて、明確に並べられない他の要素も含み、或いはこの過程、方法、物事又はデバイスの固有的な要素も含む。さらなる制限がない限り、言葉「…一つ含む」で限定される要素は、前記要素を含む過程、方法、物事又はデバイスに他の同じ要素が存在することを排除しない。
【０１０３】
最後に、前記一列の処理は、前記時間順に実行される処理のみならず、ここで説明した順番で時間順に実行せずに並行又はそれぞれに実行される処理も含む。
【０１０４】
前記実施態様の説明により、当業者にとって、本開示はソフトウェアと必要なハードウェアプラットフォームにより実現できることが自明であり、勿論、全てがハードウェアで実施可能である。この理解に基づき、本開示の実施例のうち技術背景に貢献した全て又は一部がソフトウェア製品により具現されることが可能であり、該コンピュータソフトウェア製品は、例えば、ＲＯＭ／ＲＡＭ、磁気ディスク、光ディスク等の記憶媒体に記憶され、若干の指令を含み、コンピュータデバイス（パーソナルコンピュータ、サーバ、或いはネットワークデバイス等）に本開示の各実施例又は実施例の一部の前記の方法を実行させる。
【０１０５】
以上は本開示を詳しく説明し、本願は具体的な例を利用して本開示の原理及び実施態様を説明したが、以上の実施例に対する説明は、本開示の方法及びそのノーハウを理解するためのものである。同時に、当業者にとっては、本開示の思想に依り、その具体的な実施態様及びその適用範囲の何れも変更でき、以上述べたところを総合すれば、本願明細書の内容が本開示に対する制限であると理解すべきではない。
【図１】
2019530280.tif 000004
【図２】
2019530280.tif 000005
【図３】
2019530280.tif 000006
【図４】
2019530280.tif 000007
【図５】
2019530280.tif 000008
【図６】
2019530280.tif 000009
【図７】
2019530280.tif 000010
【図８】
2019530280.tif 000011
【図９】
2019530280.tif 000012
【図１０】
2019530280.tif 000013
【図１１】
2019530280.tif 000014
【図１２】
2019530280.tif 000015
【図１３】
2019530280.tif 000016
【図１４】
2019530280.tif 000017
【図１５】
2019530280.tif 000018
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
下りリンクデータに対応付ける下りリンク制御情報を受信するように配置される受信部と、
前記下りリンク制御情報により前記下りリンクデータが所定条件を満たすか否かを特定するように配置され、前記下りリンクデータが所定条件を満たす場合、下りリンク制御情報におけるＨＡＲＱプロセス番号フィールドと付加フィールドに基づいて、前記下りリンクデータに割当てられるＨＡＲＱプロセス番号を特定する特定部と、
を含む、ユーザ端末。
【請求項２】
前記特定部は、前記下りリンクデータが所定条件を満たさない場合、下りリンク制御情報におけるＨＡＲＱプロセス番号フィールドに基づいて、前記下りリンクデータに割当てられるＨＡＲＱプロセス番号を特定するように更に配置される、請求項１に記載のユーザ端末。
【請求項３】
前記所定条件は、前記下りリンク制御情報により指示された前記下りリンクデータの繰返し数が１であることである、請求項１又は２に記載のユーザ端末。
【請求項４】
前記付加フィールドは、下りリンク制御情報における周波数ホッピングフィールドであり、前記特定部は、ＨＡＲＱプロセス番号フィールドと周波数ホッピングフィールドを組み合わせ、組み合わせられた値に基づいて、前記下りリンクデータに割当てられるＨＡＲＱプロセス番号を特定するように配置される、請求項３に記載のユーザ端末。
【請求項５】
前記所定条件は、前記下りリンク制御情報により指示される前記下りリンクデータの送信周波数帯域と下りリンク制御情報の送信周波数帯域が同じであることである、請求項１又は２に記載のユーザ端末。
【請求項６】
前記付加フィールドは、下りリンク制御情報におけるリソース割当てフィールドであり、下りリンク制御情報におけるＨＡＲＱプロセス番号フィールドと付加フィールドに基づいて、前記下りリンクデータに割当てられるＨＡＲＱプロセス番号を特定することは、
ＨＡＲＱプロセス番号フィールドとリソース割当てフィールドにおける所定ビットを組み合わせることと、
組み合わせられた値に基づいて、前記下りリンクデータに割当てられるＨＡＲＱプロセス番号を特定することと、
を含む、請求項５に記載のユーザ端末。
【請求項７】
現の下りリンクデータに対応付ける下りリンク制御情報を受信するように配置される受信部と、
前記下りリンク制御情報におけるＨＡＲＱプロセス番号フィールドが少なくとも第１のＨＡＲＱプロセス番号と第２のＨＡＲＱプロセス番号を示す所定値であるか否かを特定するように配置され、ＨＡＲＱプロセス番号フィールドが前記所定値であると特定する場合、現の下りリンクデータの前に送信された下りリンクデータの受信状態により現の下りリンクデータに割当てられるＨＡＲＱプロセス番号を特定する特定部と、
を含む、ユーザ端末。
【請求項８】
現の下りリンクデータの前に送信された下りリンクデータは、第１のＨＡＲＱプロセス番号が割当てられた第１のデータと第２のＨＡＲＱプロセス番号が割当てられた第２のデータとを含み、
前記特定部は、第１のデータと第２のデータ両方が正常に受信された場合、第１のＨＡＲＱプロセス番号が現の下りリンクデータに割当てられることを特定し、又は、
第１のデータと第２のデータ両方が正常に受信されなかった場合、第１のデータと第２のデータとのうち先に伝送が終わったデータのＨＡＲＱプロセス番号が現の下りリンクデータに割当てられることを特定し、又は、
第１のデータが正常に受信され、第２のデータが正常に受信されなかった場合、第２のＨＡＲＱプロセス番号が現の下りリンクデータに割当てられることを特定するように配置される、請求項７に記載のユーザ端末。
【請求項９】
現の下りリンクデータの前に送信された下りリンクデータは、第１のＨＡＲＱプロセス番号が割当てられた第１のデータであり、前記特定部は、基地局が第１のデータに対する確認が受信されていない状況で現の下りリンクデータを送信する場合、第２のＨＡＲＱプロセス番号が現の下りリンクデータに割当てられることを特定するように配置される、請求項７に記載のユーザ端末。
【請求項１０】
下りリンクデータが所定条件を満たすか否かを特定するように配置される特定部と、
前記下りリンクデータが所定条件を満たす場合、下りリンク制御情報におけるＨＡＲＱプロセス番号フィールドと付加フィールドにより、前記下りリンクデータに割当てられるＨＡＲＱプロセス番号を通知するように配置される通知部と、
を含む、基地局。
【請求項１１】
前記通知部は、更に、前記下りリンクデータが所定条件を満たさない場合、下りリンク制御情報におけるＨＡＲＱプロセス番号フィールドを利用し、前記下りリンクデータに割当てられるＨＡＲＱプロセス番号を通知するように配置される、請求項１０に記載の基地局。
【請求項１２】
前記所定条件は、前記下りリンクデータの繰返し数が１であることである、請求項１０又は１１に記載の基地局。
【請求項１３】
前記付加フィールドは、下りリンク制御情報における周波数ホッピングフィールドであり、
前記通知部は、ＨＡＲＱプロセス番号フィールドと周波数ホッピングフィールドを組み合わせて得られる値を利用して、前記下りリンクデータに割当てられるＨＡＲＱプロセス番号を通知するように配置される、請求項１２に記載の基地局。
【請求項１４】
前記所定条件は、前記下りリンクデータの送信周波数帯域と下りリンク制御情報の送信周波数帯域が同じであることである、請求項１０又は１１に記載の基地局。
【請求項１５】
前記付加フィールドは、下りリンク制御情報におけるリソース割当てフィールドであり、
前記通知部は、ＨＡＲＱプロセス番号フィールドとリソース割当てフィールドにおける所定ビットを組み合わせて得られる値を利用して、前記下りリンクデータに割当てられるＨＡＲＱプロセス番号を通知する、請求項１４に記載の基地局。
【国際調査報告】
2019530280.tif 000019
2019530280.tif 000020
2019530280.tif 000021
2019530280.tif 000022